(57)【要約】      （修正有）【課題】音響効果及び音質を調整できる、可動切替え構造を備えるオーバーヘッド型マルチチャンネルスピーカー装置を提供する。【解決手段】主チャンバー２におけるフロントエンクロージャーキット２３及びリアエンクロージャーキット２４をスピーカーユニット容置主体２１の相対する上下両側に取り付けることにより、スピーカーユニット容置主体には複数の閉塞する独立音室が形成されるため、独立音室に取り付けられるスピーカーユニットは比較的に透き通る音声放出効果を奏することができる。一方、スピーカーユニット容置主体２１に対して、チャンネル調整ディスク、音場調整ディスク、第１の調整パーツ及び第２の調整パーツは可動切替え構造であるため、異なる音場、チャンネル及び音質のモードを切り替えることができる。【選択図】図１
0003180194.tif 000002
【実用新案登録請求の範囲】
【請求項１】
少なくとも一つの主チャンバーを含み、
前記主チャンバーは、スピーカーユニット容置主体、スピーカーユニットセット、フロントエンクロージャーキット及びリアエンクロージャーキットを含み、
前記スピーカーユニット容置主体は、蓋体及び複数の独立音室を備え、
前記スピーカーユニットセットは、主スピーカーユニット及び複数の副スピーカーユニットを備え、
前記主スピーカーユニット及び前記複数の副スピーカーユニットは、前記スピーカーユニット容置主体に受け入れられ、それぞれ対応する前記複数の独立音室の内部に設置され、
前記フロントエンクロージャーキットは、音響効果調整ユニット及び音源出力パーツを備え、
前記蓋体、前記音響効果調整ユニット及び前記音源出力パーツは前記複数の副スピーカーユニットの方向に順に前記スピーカーユニット容置主体に取り付けられ、
前記音響効果調整ユニットは、チャンネル調整ディスク及び音場調整ディスクを備え、
前記チャンネル調整ディスク及び前記音場調整ディスクは、前記チャンネル調整ディスク及び前記音場調整ディスクを切替えるように前記スピーカーユニット容置主体の縦方向の中心軸を軸としてそれぞれ回転することによって、前記主チャンバー内部で異なる導音ルートを生じることで前記スピーカー装置の異なるチャンネルパターン及び音響効果特性を切替え、
前記リアエンクロージャーキットは、前記フロントエンクロージャーキットと相対するように前記スピーカーユニット容置主体に取り付けられており、音質調整ユニットを備え、
前記音質調整ユニットは、第１の調整パーツ及び第２の調整パーツを含み、
前記第２の調整パーツは、前記スピーカーユニット容置主体から離れるように設置され、
前記第１の調整パーツ及び該第２の調整パーツは、前記スピーカーユニット容置主体の中心軸を軸としてそれぞれ回転することによって、前記スピーカー装置の音質特性を切替えることを特徴とする可動切替え構造を備えるオーバーヘッド型マルチチャンネルスピーカー装置。
【請求項２】
前記スピーカー装置は少なくとも２つの主チャンバーを含み、前記２つの主チャンバーは少なくとも一つの接続部によって互いに接続し合うことを特徴とする請求項１に記載の可動切替え構造を備えるオーバーヘッド型マルチチャンネルスピーカー装置。
【請求項３】
前記スピーカーユニット容置主体はハウジング及び仕切りパーツを含み、
前記仕切りパーツは、前記ハウジングの内部に対応して配設されており、相対する開口及び複数の収容槽を有し、
前記主スピーカーユニットは前記開口に取り付けられ、
前記複数の副スピーカーユニットは前記複数の収容槽の内部に対応して取り付けられ、
前記仕切りパーツには導音孔を有する複数の副導音管が設けられ、
前記複数の副導音管は、前記複数の副スピーカーユニットと連通しており、対称的に前記開口の周囲に設置されることを特徴とする請求項１に記載の可動切替え構造を備えるオーバーヘッド型マルチチャンネルスピーカー装置。
【請求項４】
前記第１の調整パーツは、リング状の構造であり、その内側には前記複数の副導音管に対応する複数の閉塞部が設けられることを特徴とする請求項３に記載の可動切替え構造を備えるオーバーヘッド型マルチチャンネルスピーカー装置。
【請求項５】
前記第１の調整パーツにおける前記複数の閉塞部に近接するところには対称的な複数の出音孔が設けられ、前記第１の調整パーツには導音通路が設けられ、
前記導音通路は円環状に設置され、
前記複数の出音孔は前記導音通路と連通することを特徴とする請求項４に記載の可動切替え構造を備えるオーバーヘッド型マルチチャンネルスピーカー装置。
【請求項６】
前記音質調整ユニットはさらに位置決めディスクを含み、
前記位置決めディスクは、ネジ締めによって前記スピーカーユニット容置主体に固定されており、前記第１の調整パーツと該第２の調整パーツとの間に位置しており、円形の凹  槽、複数の音質導音管及び第１の連通口を備え、
前記複数の音質導音管は、平行にすれ違うように前記凹槽内に設けられ、
前記複数の第１の連通口は、前記複数の音質導音管と隣接する前記凹槽の底壁に設けられ、
前記第１の調整パーツには対称的に設置される複数のカバー板が設けられることを特徴とする請求項１に記載の可動切替え構造を備えるオーバーヘッド型マルチチャンネルスピーカー装置。
【請求項７】
前記第２の調整パーツは、前記凹槽の形状に合わせて前記位置決めディスクに取り付けられており、複数の第１のエアホール、第２のエアホール及び収容凸部を有し、
前記複数の第１のエアホール及び第２のエアホールは、前記中心軸に平行して前記第２の調整パーツの周縁を貫通し、
前記複数の第２のエアホールは、前記位置決めディスクから離れるように設置され、
前記複数の音質導音管は、対応する前記複数の第１のエアホールとそれぞれ連通し、
前記第１の連通口は、前記複数の第２のエアホールと連通し、
前記位置決めディスクにおける前記第１の調整パーツから離れる壁面には、複数の弧形のスライド溝が設けられ、
前記第２の調整パーツの前記複数の収容凸部は、前記複数のスライド溝内に配設されることを特徴とする請求項６に記載の可動切替え構造を備えるオーバーヘッド型マルチチャンネルスピーカー装置。
【請求項８】
前記蓋体には複数の収容凹槽が設けられ、
前記複数の収容凹槽は、前記複数の仕切りパーツの前記複数の収容槽にそれぞれ接続することによって閉じる状態の前記独立音室を形成し、
前記スピーカーユニット容置主体の中央に位置する前記独立音室及びその周りに位置する前記他の独立音室は高度差をもつことを特徴とする請求項３に記載の可動切替え構造を備えるオーバーヘッド型マルチチャンネルスピーカー装置。
【請求項９】
前記接続部はさらに２つの接続枢転部を含み、
前記主チャンバーはさらに２つの掛止具を含み、
前記２つの接続枢転部は、前記接続部の相対する末端にそれぞれ設置され、
前記スピーカーユニット容置主体の外縁には、縦方向の前記中心軸方向に向かって取り付け孔が凹設され、
前記２つの接続枢転部のいずれも、前記取り付け孔とすぐ隣接する一側には延伸部が設けられ、
前記延伸部の末端には複数の位置決め片が設けられ、
前記複数の位置決め片は、縦方向の中心軸に対して横方向に対称的に設置され、
前記接続枢転部の前記延伸部は、前記取り付け孔の内部に入り込み、
前記２つの掛止具のいずれにも、前記複数の位置決め片と合わせる複数の掛止板片が設けられ、
前記複数の掛止板片は、前記中心軸方向に伸びて形成され、
前記掛止具の前記掛止板片と前記位置決め片は、交錯的に配置されることを特徴とする請求項１に記載の可動切替え構造を備えるオーバーヘッド型マルチチャンネルスピーカー装置。
【請求項１０】
前記蓋体は貫通口を備え、
前記貫通口は、前記蓋体の中央部を部分的に貫通し、
前記蓋体における前記貫通口と隣接するところには円環状リブ部が設けられ、
前記円環状リブ部には、その形状及び構造に応じて複数の弧形凹槽が設けられ、
前記複数の弧形凹槽のいずれにも、前記蓋体を貫通する少なくとも一つの凹槽孔が設置され、
前記蓋体の前記円環状リブ部の外縁には対称的に設置される複数の連通部が設けられることを特徴とする請求項１に記載の可動切替え構造を備えるオーバーヘッド型マルチチャンネルスピーカー装置。
【請求項１１】
前記チャンネル調整ディスクには前記蓋体の前記貫通口に対応するチャンネル通過口が設けられ、前記チャンネル通過口より、内側から外側に向いて順に複数の第１のチャンネル貫通口及び第２のチャンネル貫通口が設置され、
前記複数の第１のチャンネル貫通口及び第２のチャンネル貫通口は対称的に設置され、
前記複数の第１のチャンネル貫通口は、前記複数の弧形凹槽に対応して前記弧形凹槽の前記凹槽孔と連通し、
前記複数の第２のチャンネル貫通口は前記複数の連通部と連通することを特徴とする請求項１０に記載の可動切替え構造を備えるオーバーヘッド型マルチチャンネルスピーカー装置。
【請求項１２】
前記音場調整ディスクの中央部には部分的に貫通する音場通過口が設けられ、
前記音場調整ディスクには複数の音場置換貫通口が設けられ、
前記複数の音場置換貫通口は、前記音場通過口に対して内側から外側に向いて放射状に交錯的に設置され、その一部が前記複数の第１のチャンネル貫通口及び前記複数の第２のチャンネル貫通口と選択的に連通することを特徴とする請求項１１に記載の可動切替え構造を備えるオーバーヘッド型マルチチャンネルスピーカー装置。
【請求項１３】
前記音源出力パーツは位置決めリングを含み、
前記位置決めリングにはその中央部を貫通する位置決め通過口が設けられ、
前記位置決め通過口は、前記音場調整ディスクの前記音場通過口及び前記複数の音場置換貫通口と連通することを特徴とする請求項１２に記載の可動切替え構造を備えるオーバーヘッド型マルチチャンネルスピーカー装置。
【請求項１４】
前記音源出力パーツは音源出力ディスクを含み、
前記音源出力ディスクには、その中央部を貫通する音源出力通過口と、複数の音源出力貫通口と、が設けられ、
前記複数の音源出力貫通口は、前記音源出力通過口に対して内側から外側に向いて放射状に交錯的に設置され、
前記音源出力通過口及び前記複数の音源出力貫通口は、前記位置決めリングの前記位置決め通過口と連通し、
前記複数の音源出力貫通口の一部は、前記複数の第１のチャンネル貫通口及び前記複数の第２のチャンネル貫通口と選択的に連通することを特徴とする請求項１３に記載の可動切替え構造を備えるオーバーヘッド型マルチチャンネルスピーカー装置。
【請求項１５】
前記スピーカー装置はさらに少なくとも一つの音声源集中パーツ及び少なくとも一つの軟性覆体を含み、
前記音声源集中パーツの中央部にはイヤーホン凸部が設けられ、
前記軟性覆体は、円環状の皿型構造であり、前記音源出力ディスクに套設されることを特徴とする請求項１４に記載の可動切替え構造を備えるオーバーヘッド型マルチチャンネルスピーカー装置。
【考案の詳細な説明】
【技術分野】
【０００１】
本考案はマルチチャンネルヘッドホンに関するものであり、特に音響効果及び音質を調整できる、可動切替え構造を備えるオーバーヘッド型マルチチャンネルスピーカー装置及びその組み立て方法に関する。
【背景技術】
【０００２】
科学技術化の音響システムを利用して、現場の原音をほぼ再現する聴覚環境を模造することは既に可能になっている。ユーザーに臨場感を感じさせるために、サラウンド効果を達成するにはフロントスピーカー、リアスピーカー、重低音スピーカー及びセンタースピーカーなどの音響効果設備を空間内に配置しなければならない。また、より良いリスニング品質（Ｌｉｓｔｅｎｉｎｇ Ｑｕａｌｉｔｙ）を追求すれば、広い空間及びスピーカーの適正な置く位置は欠けないはずだ。
【０００３】
ところが、地価が高い世の中に、上記の条件を達成することはどれほど贅沢なことだろう。特に、静かな夜に音響システムをオンしたら他人の睡眠を妨げることになるため、ヘッドホンを音響システムに接続すればこの問題を避けることができる。
【０００４】
音響システムに接続する従来のマルチチャンネルヘッドホンは、例えば、台湾実用新案公告第５３６０９６号公報に係る「マルチチャンネルヘッドホンモジュール」において、マルチチャンネルヘッドホンモジュールの構造は、ヘッドバンド及び２つのヘッドホンユニットを備え、両ヘッドホンユニットはそれぞれヘッドバンドの両末端に接続し、ヘッドバンドは両ヘッドホンユニットをそれぞれユーザーの両耳に位置つけることができる。また、各ヘッドホンユニットはハウジング、重低音チャンネルスピーカーユニット、複数の１チャンネルエンクロージャー（ｅｎｃｌｏｓｕｒｅ）及び複数の１チャンネルスピーカーユニットを備える。複数の１チャンネルエンクロージャーはユーザーの前後方向に対応してハウジング内に配設される。また、その重低音チャンネルスピーカーユニットは同じくハウジング内に配設され、ハウジングを共振用のエンクロージャーとする。また、複数の１チャンネルスピーカーユニットはそれぞれ複数の１チャンネルエンクロージャーに配設される。したがって、このマルチチャンネルヘッドホンモジュールの両ヘッドホンユニットは合わせて少なくとも４つのチャンネル及び２つの重低音チャンネルによる音源出力を提供することができる。
【先行技術文献】
【特許文献】
【０００５】
【特許文献１】台湾実用新案公告第５３６０９６号公報
【考案の概要】
【考案が解決しようとする課題】
【０００６】
しかしながら、従来のマルチチャンネルヘッドホンは比較的に単調な音源出力しか提供せず、また内部のスピーカーユニットは同じ水平面に設置されるので、多様な聴覚環境、音場の大きさによる空間感、またはクラシック及びロックなどの音楽タイプによる音質の異なる表現を実現することができない可能性がある。また、上記のスピーカーユニットはヘッドホンの内部に置かれたが、複数のスピーカーユニットの周囲はハウジング内に有効的に覆わられず、またスピーカーユニット同士は有効的に仕切れないため、音場位置がぼやけることになりやすくて、音声が混じる問題を生じてしまう。
【０００７】
そこで、本考案者は、上記の問題を改善する可能性があると思って、鋭意検討を行なった結果、合理的な設計で且つ上記の問題を有効に改善することができる本考案を完成するに至った。
【課題を解決するための手段】
【０００８】
本考案の目的は、回転位置決めのためのコンポーネントを備える可動切替え構造を利用して、異なる音場、チャンネル及び音質のモードを切り替えることにある。
【０００９】
本考案のもう一つの目的は、可動切替え構造を利用して複数の移動可能なエンクロージャーを模造することが可能であり、上記の可動切替え構造でヘッドホンの内部の導音管の位置を調整することにより、異なる音場を生じるとともに４次元空間(４Ｄ ｓｐａｃｅ)のリスニング環境を模造することにある。
【００１０】
本考案のもう一つの目的は、スピーカー装置における紆余曲折の導音ルートは異なる導音位置によって異なるチャンネル(例えば、２.１、５.１、７.１、９.１チャンネル)の音場表現を生成することによって、異なるリスニング空間の音声を模造することにある。
【００１１】
本考案のもう一つの目的は、可動切替え構造でスピーカー装置の内部の音声に集中、拡散及び曲折の効果を生じさせることにより異なる音場及び音質を生成することにある。
【００１２】
本考案のもう一つの目的は、ヘッドホンの音響効果品質を向上して、飽和な音場を持たせるとともにリアルな臨場感のあるサラウンド聴覚効果を達成することにある。本考案のもう一つの目的は、スピーカーを格納するコンポーネントは音声を集中させる槽状の構造を有し、フロントエンクロージャーとリアエンクロージャーのいずれも独立のサラウンド空間であり、独立のフロントエンクロージャー、リアエンクロージャーは共鳴の効果を生じることができることによって、ヘッドホンの内部の音声をよりクリアでしっかりとすることにある。
【００１３】
本考案のもう一つの目的は、従来のマルチチャンネルヘッドホンの音声は直接出力で、独立のフロントエンクロージャーで音声の集中、拡散及び仕切りをする構造設計がないため、チャンネルの音声が混じりやすいという問題を克服することにある。
【００１４】
本考案のもう一つの目的は、可動切替え構造による異なるリスニングモードの切替えを利用して、リアエンクロージャーに接続する音管を対応的に開いたり閉まったりさせて、独立のリアエンクロージャーのサラウンド空間の調整を変化させて、異なるサラウンド空間で異なる音質を生じることができることによって、従来のマルチチャンネルヘッドホンが独立のリアエンクロージャーの構造設計がないことによる音質の音声が混じりやすいという問題を解消することにある。
【００１５】
上記の目的を達成するために、本考案は可動切替え構造を備えるオーバーヘッド型マルチチャンネルスピーカー装置を提供する。オーバーヘッド型マルチチャンネルスピーカー装置は２つの主チャンバーを含み、２つの主チャンバーはそれぞれ接続部によって互いに接続し合う。複数の主チャンバーのいずれもスピーカーユニット容置主体、スピーカーユニットセット、フロントエンクロージャーキット及びリアエンクロージャーキットを含む。
【００１６】
スピーカーユニット容置主体は蓋体及び複数の独立音室を備える。スピーカーユニットセットは主スピーカーユニット及び複数の副スピーカーユニットを備え、主スピーカーユニット及び複数の副スピーカーユニットはスピーカーユニット容置主体に受け入れられ、対応する複数の独立音室内にそれぞれ設置される。
【００１７】
フロントエンクロージャーキットは音響効果調整ユニット及び音源出力パーツを備え、蓋体、音響効果調整ユニット及び音源出力パーツは複数の副スピーカーユニットの方向に順にスピーカーユニット容置主体に取り付けられる。
【００１８】
音響効果調整ユニットはチャンネル調整ディスク及び音場調整ディスクを備える。チャンネル調整ディスク及び音場調整ディスクは、スピーカーユニット容置主体の縦方向の中心軸を軸として回転することができる。チャンネル調整ディスク及び音場調整ディスクの切替えにより、主チャンバー内部において異なる導音ルートを生じさせ、スピーカー装置の相異チャンネルパターン及び音場特性を切り替える。
【００１９】
リアエンクロージャーキットはフロントエンクロージャーキットと相対するようにスピーカーユニット容置主体に取り付けられる。また、リアエンクロージャーキットは音質調整ユニットを備える。音質調整ユニットは第１の調整パーツ及び第２の調整パーツを含む。第２の調整パーツはスピーカーユニット容置主体を離れて設置される。第１の調整パーツ及び第２の調整パーツは、スピーカー装置の音質特性を切り替えるようにそれぞれスピーカーユニット容置主体の中心軸を軸として回転することができる。
【００２０】
上記の目的を達成するために、本考案はさらに可動切替え構造を備えるオーバーヘッド型マルチチャンネルスピーカー装置の組み立て方法を提供する。主チャンバーを組み立てるステップは以下のステップを含む。
【００２１】
スピーカーユニット容置主体を用意するステップと、主スピーカーユニット及び複数の副スピーカーユニットをスピーカーユニット容置主体の相対する上下両側に格納するステップと、接続部の接続枢転部をスピーカーユニット容置主体外縁の取り付け孔の内部に入れるステップと、主チャンバーの掛止具を接続枢転部の末端を固定するステップと、主チャンバーにおける複数の副スピーカーユニットとすぐ隣接するフロントエンクロージャーキット及び主スピーカーユニットとすぐ隣接するリアエンクロージャーキットをネジ締めによってスピーカーユニット容置主体の相対する上下両側に取り付けることによって、スピーカーユニット容置主体には主スピーカーユニット及びそれらの副スピーカーユニットを受け入れるための複数の独立音室が形成されるステップと、を備え、フロントエンクロージャーキットのチャンネル調整ディスクと音場調整ディスクを相対的に同期又は個別に回すことによって異なる音響効果のモード及び音場特性を調整し、リアエンクロージャーキットの第１の調整パーツと第２の調整パーツを相対的に同期又は個別に回すことによって異なる音質特性を調整する。
【考案の効果】
【００２２】
上述したように、本考案に係る可動切替え構造を備えるオーバーヘッド型マルチチャンネルスピーカー装置及びその組み立て方法によれば、主チャンバーのフロントエンクロージャーキット及びリアエンクロージャーキットをスピーカーユニット容置主体の相対する上下両側に取り付けることにより、スピーカーユニット容置主体には複数の閉じる状態の独立音室が形成されるため、独立音室に取り付けられるスピーカーユニットはより透き通る音声放出効果を生じる。一方、スピーカーユニット容置主体に対して、チャンネル調整ディスク、音場調整ディスク、第１の調整パーツ及び第２の調整パーツは可動切替え構造であり、異なる音場、チャンネル及び音質のモードを切り替えるためものである。また、スピーカー装置における紆余曲折の導音ルートは、異なる導音位置で異なるチャンネル(例えば、２.１、５.１、７.１、９.１チャンネル)の音場表現を生じることによって、異なるリスニング空間の音声を生じる。さらに、可動切替え構造は、複数の移動可能なスピーカーを模造することができる。可動切替え構造でヘッドホンの内部の導音管の位置を調整することにより、異なる音場を生じるとともに４次元空間(４Ｄ ｓｐａｃｅ)のリスニング環境を模造する。これにより、ヘッドホンの音響効果品質を向上して、飽和な音場を持たせるとともにリアルな臨場感のあるサラウンド聴覚効果を達成することができるなどのメリットがある。
【図面の簡単な説明】
【００２３】
【図１】本考案に係る可動切替え構造を備えるオーバーヘッド型マルチチャンネルスピーカー装置の組み立て図。
【図２】本考案に係る音響設備の配置位置をシミュレーションする模式図。
【図３】本考案に係る可動切替え構造を備えるオーバーヘッド型マルチチャンネルスピーカー装置の分解図。
【図４】本考案に係る可動切替え構造を備えるオーバーヘッド型マルチチャンネルスピーカー装置の別の角度からの分解図。
【図５】本考案に係る可動切替え構造を備えるオーバーヘッド型マルチチャンネルスピーカー装置の仕切りパーツの立体図。
【図６】本考案に係る可動切替え構造を備えるオーバーヘッド型マルチチャンネルスピーカー装置の仕切りパーツの別の角度からの立体図。
【図７】本考案に係る可動切替え構造を備えるオーバーヘッド型マルチチャンネルスピーカー装置のフロントエンクロージャーキットの分解図。
【図８】本考案に係る可動切替え構造を備えるオーバーヘッド型マルチチャンネルスピーカー装置のフロントエンクロージャーキットの別の角度からの分解図。
【図９】本考案に係る可動切替え構造を備えるオーバーヘッド型マルチチャンネルスピーカー装置のリアエンクロージャーキットの分解図。
【図１０】本考案に係る可動切替え構造を備えるオーバーヘッド型マルチチャンネルスピーカー装置のリアエンクロージャーキットの別の角度からの分解図。
【図１１】本考案に係る可動切替え構造を備えるオーバーヘッド型マルチチャンネルスピーカー装置のチャンネル調整ディスクの立体図。
【図１２】本考案に係る可動切替え構造を備えるオーバーヘッド型マルチチャンネルスピーカー装置のチャンネル調整ディスクの別の角度からの立体図。
【図１３】本考案に係る可動切替え構造を備えるオーバーヘッド型マルチチャンネルスピーカー装置の音場調整ディスクの立体図。
【図１４】本考案に係る可動切替え構造を備えるオーバーヘッド型マルチチャンネルスピーカー装置の音場調整ディスクの別の角度からの立体図。
【図１５】本考案に係る可動切替え構造を備えるオーバーヘッド型マルチチャンネルスピーカー装置の音源出力ディスクの立体図。
【図１６】本考案に係る可動切替え構造を備えるオーバーヘッド型マルチチャンネルスピーカー装置の音源出力ディスクの別の角度からの立体図。
【図１７】本考案に係る可動切替え構造を備えるオーバーヘッド型マルチチャンネルスピーカー装置の接続部を組み付ける前の立体模式図。
【図１８】本考案に係る可動切替え構造を備えるオーバーヘッド型マルチチャンネルスピーカー装置の第１の断面図。
【図１９】本考案に係る可動切替え構造を備えるオーバーヘッド型マルチチャンネルスピーカー装置の第２の断面図。
【図２０】本考案に係る可動切替え構造を備えるオーバーヘッド型マルチチャンネルスピーカー装置の第３の断面図。
【図２１】本考案に係る可動切替え構造を備えるオーバーヘッド型マルチチャンネルスピーカー装置の第４の断面図。
【図２２】本考案に係る可動切替え構造を備えるオーバーヘッド型マルチチャンネルスピーカー装置の第５の断面図。
【図２３】本考案に係る可動切替え構造を備えるオーバーヘッド型マルチチャンネルスピーカー装置の音声源集中パーツ及び軟性覆体の組み付け模式図。
【図２４】本考案に係る可動切替え構造を備えるオーバーヘッド型マルチチャンネルスピーカー装置の組み立て方法のフローチャート。
【図２５】本考案に係る可動切替え構造を備えるオーバーヘッド型マルチチャンネルスピーカー装置の接続部を組み付ける前の一部の立体模式図。
【考案を実施するための形態】
【００２４】
以下、本明細書と図面に開示された本考案の実施形態は、本考案の技術内容をより分かりやすく説明し、本考案の理解を助けるために実施例を挙げたことに過ぎず、本考案の範囲を限定するものではない。
【実施例】
【００２５】
図１を参照してください。本考案の実施例に係る可動切替え構造を備えるオーバーヘッド型マルチチャンネルスピーカー装置１は、接続部３によって互いに接続し合う２つの主チャンバー２を含む。接続部３にはその長さを調整するための複数の延伸構造(図示せず)が設けられる。延伸構造は当業者がよく使用する技術手段であるため、ここでは説明を省略する。本実施例においては図１の本考案のスピーカー装置１の片側を例として説明するが、当業者はオーバーヘッド型スピーカー装置１の両主チャンバー２は対称的な構造を有することを分かるはずであるため、スピーカー装置１の他の一側については説明しない。
【００２６】
本考案のスピーカー装置１の可動切替え構造はディスク状のコンポーネントを多層に積み重なることにより形成され、各層のいずれも回転構造を有し、異なる音声表現を切り替える働きをする。
【００２７】
本実施例のスピーカー装置１は４次元空間のリスニング環境を模造することができる。図１と図２を参照してください。「４次元空間のリスニング環境」とは、リスニング環境において、複数のスピーカーを備える音響システムは、スピーカー装置１の可動切替え構造を利用してそれらのスピーカーを移動可能に配置することを模擬することにより、異なるリスニングモードを切り替える効果を奏する。
【００２８】
例えば、図２は仮想空間内の音響設備の配置模式図であり、センタースピーカーC、重低音スピーカーW、フロント左側及フロント右側スピーカーFL、FR、リア左側及リア右側サラウンドスピーカーBLS、BRS、フロント左側及フロント右側サラウンドスピーカーFLS、FRS、リア左側及リア右側スピーカーBL、BRを示す。そこで、スピーカー装置１の可動切替え構造を調整することにより、スピーカーを聴取者に向いて移動可能に配置するような模擬環境を模造することができる。スピーカーと聴取者との間の異なる距離による環境設置により、様々なリスニングモード(例えば中低音、低音など)を切り替える効果を奏することができる。
【００２９】
可動切替え構造を回すとき、可動切替え構造のディスク状のコンポーネントのいずれもスピーカー装置１に異なる音声表現(例えば閉塞空間、広い空間の音響効果等)を生じさせる。これは音声の位置を調整するのと同じよう、前、後、左、右の方向に加えて、上、下の方向に音声も伝達する。また、可動切替え構造は音声伝達の遠近の臨場感をつくることもできる。これにより、音声の模造を３Dダイナミック音場から４次元空間音場へと向上させる。以下、スピーカー装置１の可動切替え構造についてさらに詳しく説明する。
【００３０】
図３及び図４を参照してください。本実施例において、主チャンバー２は、スピーカーユニット容置主体２１、スピーカーユニットセット２２、フロントエンクロージャーキット２３及びリアエンクロージャーキット２４を含む。主チャンバー２は、複数のディスク状のコンポーネントを組み合わせて構成されるチャンバー構造であり、その内部には対応するスピーカーユニットセット２２を格納するための複数の独立音室が設けられる。
【００３１】
図３、図５及び図６を参照してください。本実施例において、スピーカーユニット容置主体２１は、蓋体２１１及び６つの独立音室(図示せず)を備えるのが好ましいが、これに限らない。スピーカーユニットセット２２は、主スピーカーユニット２２１及び複数の副スピーカーユニット２２２を備える。５つの副スピーカーユニット２２２(例えば、フロント及びリアチャンネルスピーカーユニット、重低音チャンネルスピーカーユニット等)があるのが好ましい。主スピーカーユニット２２１とそれらの副スピーカーユニット２２２は、相対するようにスピーカーユニット容置主体２１の上下両側に受け入れられ、それぞれの対応する独立音室内に設置される。
【００３２】
図３、図７及び図８を参照してください。フロントエンクロージャーキット２３は、音響効果調整ユニット２３１及び音源出力パーツ２３２を備える。蓋体２１１、音響効果調整ユニット２３１及び音源出力パーツ２３２はそれらの副スピーカーユニット２２２に向いて順にスピーカーユニット容置主体２１に組み付けられる。
【００３３】
なお、蓋体２１１、音響効果調整ユニット２３１及び音源出力パーツ２３２、はネジ締めによってスピーカーユニット容置主体２１に固定され、互いの間には複数の磁気素子(図示せず)を格納するための磁気素子収容槽が設けられる。磁気素子は、可動切替え構造における隣接する層の回転位置決めに使用される。磁気素子の引き合い及び反発という磁気原理を利用して、異なる雰囲気のリスニングモードを切り替える効果を奏する。以下、それらの磁気素子を受け入れる磁気素子収容槽についてさらに詳しく説明する。本考案において、可動切替え構造における隣接する層の回転位置決めには、磁気素子の他、係合爪(図示せず)の構造を利用して主チャンバー２と係合して回転するようにしてもよく、同じ効果を奏することができる。
【００３４】
図３、図７及び図８を参照してください。本実施例において、音響効果調整ユニット２３１は、チャンネル調整ディスク２３１１及び音場調整ディスク２３１２を備える。チャンネル調整ディスク２３１１の周縁と中間部との間には少なくとも一つのチャンネル結合部２３１１６が設けられることによって、取り囲む状のチャンネル掛止口２３１１５を形成する。音場調整ディスク２３１２の周縁と中間部との間には少なくとも一つの音場結合部２３１２４が設けられることによって、取り囲む状の音場掛止口２３１２５を形成する。
【００３５】
チャンネル調整ディスク２３１１及び音場調整ディスク２３１２はそれぞれスピーカーユニット容置主体２１の縦方向の中心軸CAを軸として回転することによって、スピーカーユニット容置主体２１におけるそれらの独立音室の異なる音響効果特性を切替えることができる。なお、本考案において、中心軸回りのディスク状のコンポーネント(例えば、チャンネル調整ディスク２３１１、音場調整ディスク２３１２など)は互いに積み重なり合うことによって可動切替え構造を形成する。
【００３６】
チャンネル調整ディスク２３１１及び音場調整ディスク２３１２のいずれも、互いに干渉しないように個別に回転作動できる可動切替え構造であり、複数の磁気素子収容槽２３１１４、２３１２３がそれぞれ設けられる。チャンネル調整ディスク２３１１の磁気素子収容槽２３１１４内部における隣接する磁気素子又は音場調整ディスク２３１２の磁気素子収容槽２３１２３内部における隣接する磁気素子については特に、反対磁性の磁気素子同士を間隔をおいて交錯的に配置する方式を指す。この配置方式により、チャンネル調整ディスク２３１１と音場調整ディスク２３１２の内部のすべての磁気素子が引き合うことによる大きな回転抵抗で回転し難くなってしまうことを防ぐことができる。
【００３７】
なお、本考案において、チャンネル調整ディスク２３１１は、３つの切替段を有し、それぞれは５.１チャンネル、７.１チャンネル及び９.１チャンネルのモードである。図１に示すように、５.１チャンネルの切替段は接続部３のすぐ隣で、接続部３から離れる切替段は順に７.１チャンネル、９.１チャンネルである。
【００３８】
音場調整ディスク２３１２は同じく３つの切替段を有し、それぞれは大音場、中音場及び小音場である。大音場の切替段は接続部３のすぐ隣で、接続部３から離れる切替段は順に中音場、小音場(図１に示すように)である。また、ユーザーは自分のニーズに応じて異なるリスニングモードを変換することができる。例えば、チャンネル調整ディスク２３１１は５.１チャンネルに切り替えられ、且つ、音場調整ディスク２３１２は小音場モードに切り替えられる場合、スピーカー装置１における導音構造は音声を集中させ、自動的に２.１チャンネルの音源出力へと変換する。
【００３９】
図３、図９及び図１０を参照してください。リアエンクロージャーキット２４は、フロントエンクロージャーキット２３と相対するようにスピーカーユニット容置主体２１に組み付けられる。
【００４０】
リアエンクロージャーキット２４は音質調整ユニット２４１を備える。音質調整ユニット２４１は第１の調整パーツ２４１１及び第２の調整パーツ２４１２を含む。第１の調整パーツ２４１１及び第２の調整パーツ２４１２のいずれも、互いに干渉しないように個別に回転作動できる可動切替え構造であり、複数の磁気素子収容槽２４１１５、２４１２４がそれぞれ設けられる。第１の調整パーツ２４１１の磁気素子収容槽２４１１５内部における磁気素子(図示せず)は反対磁性で交錯的に配置される。
【００４１】
第２の調整パーツ２４１２は薄肉の凹型構造であり、スピーカーユニット容置主体２１から離れるように設置される。第１の調整パーツ２４１１及び第２の調整パーツ２４１２は、それぞれスピーカーユニット容置主体２１の中心軸CAを軸として回転することによって、スピーカーユニット容置主体２１におけるそれらの独立音室の異なる音質特性を切替えることができる。例えば、第１の調整パーツ２４１１及び第２の調整パーツ２４１２の異なる切替段により、中低音、低音などの異なる音質を表現することができる。
【００４２】
図３、図５及び図６を参照してください。本実施例において、スピーカーユニット容置主体２１はハウジング２１３と仕切りパーツ２１４を含む。仕切りパーツ２１４はリング状のハウジング２１３の内部に対応して配設される。ハウジング２１３はリング状構造であることが好ましいが、これに限らない。ハウジング２１３の周縁はチャンネル掛止口２３１１５に対応して合わせる。チャンネル調整ディスク２３１１は、回転できるようにハウジング２１３上に可動的に設置される。同様に、ハウジング２１３の周縁は音場掛止口２３１２４に対応して合わせる。音場調整ディスク２３１２は、回転できるようにハウジング２１３上に可動的に設置される。
【００４３】
仕切りパーツ２１４には相対する開口２１４１及び５つの収容槽２１４２が設けられる。主スピーカーユニット２２１は開口２１４１に取り付けられ、それらの副スピーカーユニット２２２はそれらの収容槽２１４２の内部に対応して取り付けられる。また、収容槽２１４２はテーパー状であり、副スピーカーユニット２２２の周縁は収容槽２１４２の内壁に緊密にくっつく。この構造設計は、裝置内部の音声を集中、拡散また効果的な仕切りをするメリットがある。
【００４４】
仕切りパーツ２１４には複数の副導音管２１４３が設けられる。基本的に、それらの副導音管２１４３は上下に積み重なって設置される。
【００４５】
それらの副導音管２１４３のいずれも導音孔２１４３１を備える。それらの副導音管２１４３はそれらの副スピーカーユニット２２２と連通する。それらの副導音管２１４３の一部は、開口２１４１の周囲に対照的に設置される。それらの副導音管２１４３の一部は、末端が原則として仕切りパーツ２１４の外縁に揃う。以下、リアエンクロージャーキット２４の構造についてさらに詳しく説明する。
【００４６】
図３、図９及び図１０を参照してください。本実施例において、第１の調整パーツ２４１１はリング状の構造である。第１の調整パーツ２４１１の内側にはそれらの副導音管２１４３に対応する２つの閉塞部２４１１１が設けられる。基本的に、それらの閉塞部２４１１１は対称的に設置される。
【００４７】
第１の調整パーツ２４１１は、スピーカーユニット容置主体２１の中心軸CAを軸として回転するとき、閉塞部２４１１１を連動に移動することによってそれらの副導音管２１４３の音源指向(図２１及び図２２に示すように)を開閉する。例えば、第１の調整パーツ２４１１は２つの音質切替段を備え、第１の調整パーツ２４１１はスピーカーユニット容置主体２１に対して所定方向(例えば時計回りや反時計回り)に回転するとき、それに応じて第１の調整パーツ２４１１の閉塞部２４１１１はそれらの副導音管２１４３の導音孔２１４３１を遮ることによって(図２１参照)、比較的に閉塞的な聴覚感覚になるように音質特性へと切り替える。逆に、第１の調整パーツ２４１１は所定方向に対して逆向き回転するとき、それに応じて第１の調整パーツ２４１１の閉塞部２４１１１はそれらの副導音管２１４３の導音孔２１４３１から離れることによって(図２２参照)、比較的に広々とした聴覚感覚になるように音質特性へと切り替える。
【００４８】
第１の調整パーツ２４１１は、それらの閉塞部２４１１１に近接するところには対称的な２つの出音孔２４１１２が設けられる。また、第１の調整パーツ２４１１には円環状の導音通路２４１１３が設けられ、それらの出音孔２４１１２は導音通路２４１１３と連通する。
【００４９】
図３、図９及び図１０を参照してください。本実施例において、音質調整ユニット２４１はさらに位置決めディスク２４１３を含む。位置決めディスク２４１３は、ネジ締めによってスピーカーユニット容置主体２１に固定されており、第１の調整パーツ２４１１と第２の調整パーツ２４１２との間に位置する。
【００５０】
位置決めディスク２４１３には円形の凹槽２４１３１が設けられる。また、位置決めディスク２４１３は複数の音質導音管２４１３２、第１の連通口２４１３３及び導音管孔２４１３７を備える。音声は、音質導音管２４１３２を経由して導音管孔２４１３７から外に導出される。本実施例において、音質導音管２４１３２の数量は２つであることが好ましい。それらの音質導音管２４１３２は、平行にすれ違うように凹槽２４１３１の内部に設けられる。それらの第１の連通口２４１３３はそれらの音質導音管２４１３２と隣接する凹槽２４１３１の底壁に設けられる。
【００５１】
第１の調整パーツ２４１１には２つのカバー板２４１１４が設けられる。それらのカバー板２４１１４は対称的に設置される。
【００５２】
それらのカバー板２４１１４のいずれも、仕切りパーツ２１４から離れる一面には磁気素子(図示せず)を受け入れるための磁気素子収容槽２４１１５が設けられる。また、仕切りパーツ２１４には磁気素子(図示せず)を受け入れるための４つの磁気素子収容槽２１４４が設けられる。仕切りパーツ２１４におけるそれらの磁気素子収容槽２１４４は対称的に設置される。仕切りパーツ２１４におけるそれらの磁気素子収容槽２１４４の内部に受け入れられる磁気素子は反対磁性で交錯的に配置される。
【００５３】
図３、図９及び図１０を参照してください。本実施例において、第２の調整パーツ２４１２は、凹槽２４１３１の形状に合わせて位置決めディスク２４１３に取り付けられる。第２の調整パーツ２４１２には、２つの第１のエアホール２４１２１、４つの第２のエアホール２４１２２及び２つの収容凸部２４１２３が設けられるのが好ましいが、これに限らない。基本的に、それらの第１のエアホール２４１２１、第２のエアホール２４１２２及び収容凸部２４１２３の何れも対称的に設置され、第１のエアホール２４１２１は円形孔であり、第２のエアホール２４１２２は長形カプセル状であるのが好ましいが、これに限らない。また、それらの第１のエアホール２４１２１及び第２のエアホール２４１２２は、中心軸CAに平行して第２の調整パーツ２４１２の周縁を貫通する。
【００５４】
それらの第２のエアホール２４１２２は位置決めディスク２４１３から離れるように設置される。音声は、それらの音質導音管２４１３２を経由してそれらの導音管孔２４１３７を通過し、対応するそれらの第１のエアホール２４１２１にそれぞれ連通する(図２０をご参照)。別の音声モードに切り替えたとき、第１の連通口２４１３３はそれらの第２のエアホール２４１２２と連通する(図１０及び図１９をご参照)。位置決めディスク２４１３は、第１の調整パーツ２４１１から離れる壁面には２つの弧形のスライド溝２４１３５が設けられる。第２の調整パーツ２４１２におけるそれらの収容凸部２４１２３はそれらのスライド溝２４１３５の内部に対応して配設される。
【００５５】
また、位置決めディスク２４１３は、スライド溝２４１３５と相対する一面には磁気素子(図示せず)を受け入れるための複数の磁気素子収容槽２４１３６が設けられる。位置決めディスク２４１３は６つの磁気素子収容槽２４１３６を備えるのが好ましい。それらの磁気素子収容槽２４１３６は、互いに近づくように位置決めディスク２４１３の凹槽２４１３１の底壁に円環状に設置される。位置決めディスク２４１３におけるそれらの磁気素子収容槽２４１３６は対称的に設置される。位置決めディスク２４１３におけるそれらの磁気素子収容槽２４１３６の内部に受け入れられる磁気素子は反対磁性で交錯的に配置される。
【００５６】
また、磁気素子は、第２の調整パーツ２４１２におけるそれらの収容凸部２４１２３のそれらの磁気素子収容槽２４１２４の内部に受け入れられる。それらの収容凸部２４１２３の内部の磁気素子と位置決めディスク２４１３の凹槽２４１３１の内部の磁気素子とは磁性によって引き合う又は反発する。
【００５７】
なお、第１の調整パーツ２４１１及び第２の調整パーツ２４１２のいずれも可動切替え構造である。第１の調整パーツ２４１１は２つの音質切替段を備える。第２の調整パーツ２４１２は３つの音質切替段を備える。ユーザーは音声を異なる音質表現に表現させようとする場合、第１の調整パーツ２４１１又は第２の調整パーツ２４１２を同期又は個別に回すことによって上記目的を達成することができる。この場合、音声をリアエンクロージャーキット２４における紆余曲折の導音通路で流させるようにリアエンクロージャーキット２４における導音孔が選択的に開閉することによって、異なる音質の効果(例えば中低音、低音など)を表現する。以下、フロントエンクロージャーキット２３の構造についてさらに詳しく説明する。
【００５８】
図３及び図４を参照してください。本実施例において、蓋体２１１には５つの収容凹槽２１１１が設けられる。それらの収容凹槽２１１１は、それらの仕切りパーツ２１４におけるそれらの収容槽２１４２にそれぞれ接続することによって、副スピーカーユニット２２２を受け入れるための閉じる状態の独立音室を形成する。また、スピーカーユニット容置主体２１の中央に位置する独立音室及びその周りに位置する他の独立音室は高度差をもつ。例えば、本実施例において、スピーカー装置１における主スピーカーユニット２２１及び５つの副スピーカーユニット２２２は高さがずれている三層構造である場合、主スピーカーユニット２２１を第１層としたら、５つの副スピーカーユニット２２２はさらに４つの副スピーカーユニットからなる第２層及び１つの副スピーカーユニットからなる第３層に分けることができる。第２層の４つの副スピーカーユニットは同一の平面に設置されているが、第２層の４つの副スピーカーユニットを格納するための仕切りパーツ２１４の収容槽底部の高度を調整すれば、第２層にある４つの副スピーカーユニットを互いにずれさせることによって、第４層又はより多くの層を有するようにスピーカー配置構造を形成することができる。これにより、異なる音声表現を表現することができるため、第２層のスピーカーユニットは必ずしも同一の平面に設置するとは限らない。
【００５９】
蓋体２１１は貫通口２１１２を備える。貫通口２１１２は蓋体２１１の中央部を部分的に貫通する。蓋体２１１は、貫通口２１１２と隣接するところには円環状リブ部２１１３が設けられる。円環状リブ部２１１３にはその形状及び構造に応じて複数の弧形凹槽２１１３１が設けられる。それらの弧形凹槽２１１３１のいずれにも蓋体２１１を貫通する凹槽孔２１１３２が設けられる。蓋体２１１におけるリング形肋部２１１３の外縁には、相対するように２つの連通部２１１４が設けられる。それらの連通部２１１４は対称的に設置される。凹槽孔２１１３２及び連通部２１１４の上記設置数量は好ましい実施形態であるが、これに限らない。
【００６０】
蓋体２１１は、貫通口２１１２と隣接するところには磁気素子(図示せず)を受け入れるための１０つの磁気素子収容槽２１１５が円環状に設けられる。蓋体２１１におけるそれらの磁気素子収容槽２１１５は対称的に設置される。蓋体２１１におけるそれらの磁気素子収容槽２１１５に受け入れられる磁気素子は反対磁性で交錯的に配置される。
【００６１】
図７、図１１及び図１２を参照してください。チャンネル調整ディスク２３１１には蓋体２１１の貫通口２１１２に対応するチャンネル通過口２３１１１が設けられる。また、チャンネル通過口２３１１１のところより、内側から外側に向いて順に複数の第１のチャンネル貫通口２３１１２及び弧形の第２のチャンネル貫通口２３１１３が設置される。それらの第１のチャンネル貫通口２３１１２及び第２のチャンネル貫通口２３１１３は対称的に設置される。それらの第１のチャンネル貫通口２３１１２は蓋体２１１のそれらの弧形凹槽２１１３１に対応して弧形凹槽２１１３１の凹槽孔２１１３２と連通する。それらの第２のチャンネル貫通口２３１１３はそれらの連通部２１１４と連通する。
【００６２】
なお、チャンネル調整ディスク２３１１は蓋体２１１に対して所定方向(例えば時計回りや反時計回り)回転することができる。異なる切替段では異なる紆余曲折の音声導通ルートを形成して、様々な異なるチャンネルパターン(例えば５.１チャンネル、７.１チャンネル、９.１チャンネル)へと切り替える。
【００６３】
図７、図１３及び図１４を参照してください。本実施例において、音場調整ディスク２３１２の中央部には部分的に貫通する音場通過口２３１２１が設けられる。音場調整ディスク２３１２には複数の音場置換貫通口２３１２２が設けられる。また、それらの音場置換貫通口２３１２２の設置数量は実際の必要に応じて調整することできる。
【００６４】
それらの音場置換貫通口２３１２２は、音場通過口２３１２１に対して内側から外側に向いて放射状に交錯的に設置される。それらの音場置換貫通口２３１２２の一部は、それらの第１のチャンネル貫通口２３１１２及びそれらの第２のチャンネル貫通口２３１１３と選択的に連通することができる。なお、音場調整ディスク２３１２は、音場調整ディスク２３１２を垂直貫通する複数の方形の音場置換貫通口２３１２２aを有する。音場調整ディスク２３１２にはさらにトンネルのような構造の音場置換貫通口２３１２２bが音場通過口２３１２１の周囲に円環状に設けられる。
【００６５】
図７及び図８を参照してください。フロントエンクロージャーキット２３の音源出力パーツ２３２はさらに位置決めリング２３２１を含む。位置決めリング２３２１にはその中央部を貫通する位置決め通過口２３２１１が設けられる。位置決め通過口２３２１１は音場調整ディスク２３１２の音場通過口２３１２１及びそれらの音場置換貫通口２３１２２と連通する。位置決めリング２３２１における位置決め通過口２３２１１に近接するところには１０つの磁気素子収容槽２３２１２が設けられるのが好ましい。それらの磁気素子収容槽２３２１２は対称的に設置される。位置決めリング２３２１の磁気素子収容槽２３２１２の内部に受け入れられる磁気素子は反対磁性で交錯的に配置される。
【００６６】
図８、図１３及び図１４を参照してください。音場調整ディスク２３１２は、チャンネル調整ディスク２３１１とすぐ隣接する一面には対称的な２つの磁気素子収容槽２３１２３が設けられる。音場調整ディスク２３１２のそれらの磁気素子収容槽２３１２３は音場調整ディスク２３１２の外縁に近接する。音場調整ディスク２３１２のそれらの磁気素子収容槽２３１２３のいずれにも磁気素子(図示せず)を受け入れる。それらの磁気素子収容槽２３１２３の内部の磁気素子と位置決めリング２３２１の磁気素子収容槽２３２１２の内部の磁気素子とは磁性によって引き合う又は反発する。
【００６７】
図７、図１５及び図１６を参照してください。本実施例において、フロントエンクロージャーキット２３の音源出力パーツ２３２はさらに音源出力ディスク２３２２を含む。音源出力ディスク２３２２にはその中央部を貫通する音源出力通過口２３２２１及び複数の音源出力貫通口２３２２２が設けられる。それらの音源出力貫通口２３２２２の設置数量は実際の必要に応じて調整することができる。それらの音源出力貫通口２３２２２は、音源出力通過口２３２２１に対して内側から外側に向いて放射状に交錯的に設置される。音源出力通過口２３２２１及びそれらの音源出力貫通口２３２２２は位置決めリング２３２１の位置決め通過口２３２１１と連通する。それらの音源出力貫通口２３２２２の一部はそれらの第１のチャンネル貫通口２３１１２及びそれらの第２のチャンネル貫通口２３１１３と選択的に連通することができる。以下、チャンネル及び音場転換の使用状態について説明する。
【００６８】
図３、図１３及び図１４を参照してください。本実施例において、異なるチャンネル及び音場のリスニングモードを切り替えるとき、チャンネル調整ディスク２３１１の異なる切替段(例えば、５.１チャンネル、７.１チャンネル及び９.１チャンネル)に基づいて、音場調整ディスク２３１２の異なる切替段(例えば、大音場、中音場及び小音場)に合わせて多種の異なる紆余曲折の導音ルートに変換することができる。
【００６９】
なお、本実施例において、チャンネル調整ディスク２３１１の５.１チャンネル切替段に基づいて音場調整ディスク２３１２の大音場切替段に合わせる場合の音声源の導音ルートを例として説明するだけで、ここでは他のパターンの導音ルートの説明を省略する。
【００７０】
原則的に、ユーザーがスピーカー装置１を５.１チャンネルに切り替えて大音場のリスニングモードに合わせる場合は、主スピーカーユニット２２１の音声は基本的に中心軸CAに沿って仕切りパーツ２１４から離れる方向に外へ流れ、裝置内部において一部の副スピーカーユニット２２２の音声は２つのルートに分けて流れ、それらの流れルートに属しない孔は閉じられる。例えば、副スピーカーユニット２２２のうちの一つの流れルートの音声は、まず蓋体２１１の連通部２１１４を経由してチャンネル調整ディスク２３１１の第２のチャンネル貫通口２３１１３へ流れる。次に、同時に音場調整ディスク２３１２のまっすぐ状及びトンネル状の音場置換貫通口２３１２２a、２３１２２bを通過する。そして、音声は、位置決めリング２３２１の位置決め通過口２３２１１を経過して、音源出力ディスク２３２２の複数の音源出力貫通口２３２２２からユーザーの耳に流れる。
【００７１】
一方、副スピーカーユニット２２２の別の流れルートの音声は、まず蓋体２１１の弧形凹槽２１１３１の凹槽孔２１１３２を経由してチャンネル調整ディスク２３１１の第１のチャンネル貫通口２３１１２へ流れ。次に、同時に音場調整ディスク２３１２のまっすぐ状の音場置換貫通口２３１２２cを通過する。そして、音声は、位置決めリング２３２１の位置決め通過口２３２１１を経過して、音源出力ディスク２３２２の複数の音源出力貫通口２３２２２からユーザーの耳に流れる。
【００７２】
図１、図３及び図１７を参照してください。本実施例において、接続部３はさらに２つの接続枢転部３１を含む。それらの主チャンバー２はさらに２つの掛止具２５を含む。２つの接続枢転部３１はそれぞれ接続部３の相対する末端に設置される。スピーカーユニット容置主体２１の外縁には縦方向の中心軸CA方向に取り付け孔２１５が凹設される。それらの接続枢転部３１のいずれも、取り付け孔２１５とすぐ隣接する一側には延伸部３１１が設けられる。延伸部３１１の末端に４つの位置決め片３１１１が設けられのが好ましい。それらの位置決め片３１１１は縦方向の中心軸CAに対して横方向に対称的に設置される。
【００７３】
接続枢転部３１の延伸部３１１は取り付け孔２１５の内部に入り込む。それらの掛止具２５のいずれにも、それらの位置決め片３１１１と合わせる４つの掛止板片２５１が設けられるのが好ましい。仕切りパーツ２１４は複数の掛止穴２１４５を備える。それらの掛止板片２５１は中心軸CA方向に伸びて形成されると共にそれらの掛止穴２１４５に対応する。接続枢転部３１の延伸部３１１をスピーカーユニット容置主体２１の取り付け孔２１５に組付けるとき、掛止具２５の掛止板片２５１は、それらの掛止穴２１４５を通過して位置決め片３１１１と交錯的に配置される状態になることによって、接続枢転部３１が位置付けられる。また、ネジ締めによって接続枢転部３１をスピーカーユニット容置主体２１に固定してもよい。
【００７４】
図３、図４及び図１８を参照してください。副スピーカーユニット２２２が収容槽２１４２の内部に受け入れられるとき、副スピーカーユニット２２２の周縁と収容槽２１４２槽内の周縁は緊密に接続する。即ち、本考案において、すべてのスピーカーは主チャンバー２の内部でそれぞれ独立的に覆われることによって、有効的に仕切られて前後相対の音場を形成する。なお、前音場及び後音場(例えば、導音ルート、気流の流向及び位置)を調整すれば、異なるチャンネル及び音質をそれぞれ形成することができる。
【００７５】
図３及び図２３を参照してください。本実施例において、スピーカー装置１はさらに音声源集中パーツ４又は軟性覆体５を含む。音源出力ディスク２３２２は少なくとも一つのリブ片２３２２３を有する。軟性覆体５はスポンジ材質であるのが好ましいが、これに限らない。位置決めリング２３２１と音源出力ディスク２３２２との間にはクランプ溝６０(図１８をご参照)を備える。軟性覆体５は円環状の皿型構造で、クランプ溝６０に套設される。これにより、可動切替え構造が動作するとき、軟性覆体５はその動きを干渉することがない。また、プラスチック材質の位置決めリング２３２１と音源出力ディスク２３２２との間のクランプ溝６０を利用して軟性覆体５が掛かって固定されるため、抜きにくくなる。位置決めリング２３２１と音源出力ディスク２３２２はプラスチック材質であるのが好ましいが、これに限らない。
【００７６】
軟性覆体５は音源出力ディスク２３２２に套設される。音声源集中パーツ４における少なくとも一つの切り欠き４２により音声源集中パーツ４を回して音源出力ディスク２３２２のリブ片２３２２３に掛止される。音声源集中パーツ４は薄肉の構造で、その中央部にはインナーイヤー構造であるイヤーホン凸部４１が設けられる。ユーザーが音声源集中パーツ４を音源出力ディスク２３２２に可動的に取り付けるとき、イヤーホン凸部４１の内部の導音及び遮音機構は、スピーカー装置２１からの音源を集中しイヤーホン凸部４１に導入してユーザーの耳に出力することによって、音声源集中の効果を奏する。
【００７７】
本考案はもう一種の音声源集中パーツ４’を提供する。音声源集中パーツ４’のイヤーホン凸部４１’はカナル型（耳栓型）の構造にしてもよい。同様に音声源集中パーツ４’における切り欠き４２’により、音声源集中パーツ４’を回して音源出力ディスク２３２２のリブ片２３２２３に掛止することができる。なお、ユーザーのニーズに応じて音声源集中パーツ４、４’や軟性覆体５を変換することができる。
【００７８】
図３及び図２４を参照してください。本考案はオーバーヘッド型マルチチャンネルスピーカー装置の組み立て方法を提供する。接続部３により２つの主チャンバー２を接続する。それらの主チャンバー２を組み立てる方法は、以下のステップを含む。
【００７９】
ステップS１０１：スピーカーユニット容置主体２１を用意する。
【００８０】
ステップS１０２：主スピーカーユニット２２１及びそれらの副スピーカーユニット２２２をスピーカーユニット容置主体２１の相対する上下両側にそれぞれ格納する。
【００８１】
ステップS１０３：接続部３の接続枢転部３１をスピーカーユニット容置主体２１の外縁の取り付け孔２１５の内部に入れる。
【００８２】
ステップS１０４：主チャンバー２の掛止具２５を接続枢転部３１の末端に固定する。
【００８３】
ステップS１０５：主チャンバー２におけるそれらの副スピーカーユニット２２２とすぐ隣接するフロントエンクロージャーキット２３及び主スピーカーユニット２２１とすぐ隣接するリアエンクロージャーキット２４をネジ締めでスピーカーユニット容置主体２１の相対する上下両側に取り付けることによって、スピーカーユニット容置主体２１には主スピーカーユニット２２１とそれらの副スピーカーユニット２２２を受け入れるための複数の独立音室が形成される。
【００８４】
また、フロントエンクロージャーキット２３におけるチャンネル調整ディスク２３１１及び音場調整ディスク２３１２は、スピーカーユニット容置主体２１の縦方向の中心軸CAを軸として同期又は個別に回転することによって、異なる音響効果のモードを調整することができる。
【００８５】
また、リアエンクロージャーキット２４における第１の調整パーツ２４１１及び第２の調整パーツ２４１２は、スピーカーユニット容置主体２１の中心軸CAを軸として同期又は個別に回転することによって、異なる音質のモードを調整することができる。
【００８６】
図１と図２５を参照してください。本考案において、接続枢転部３１’の延伸部３１１’は取り付け孔２１５’の内部に挿入される。掛止具２５’には、位置決め片３１１１’に合わせる掛止板片２５１’が設けられる。例を挙げて説明すると、接続枢転部３１’の延伸部３１１’は取り付け孔２１５’に取り付けられる時、掛止具２５’における掛止板片２５１’は位置決め片３１１１’と交錯的に配置されるようになるため、接続枢転部３１’を位置づけることができる。詳しく説明すると、位置決め片３１１１’と掛止板片２５１’は間隔を置いて交錯的に配置するため、位置決め片３１１１’と掛止板片２５１’との間は互いに嵌め合うことができる。これにより、本考案は、掛止板片２５１’と位置決め片３１１１’の設計により接続枢転部３１’を固定することができる。
【００８７】
また、接続部３’は、接続枢転部３１’に套設される弾性エレメント３２’と、延伸部３１１’の前方に設置される電源ボタンスイッチ（図示せず）と、を更に含む。例を挙げて説明すると、ユーザーが接続枢転部３１’を回転する（例えば、左向き又は右向きへ回転する）とき、延伸部３１１’に設置されると共に弾性エレメント３２’に隣接する例えば斜面構造（図示せず）である延伸部３１１’の一端は電源ボタンスイッチを接触することによって、電源をオンして電力をスピーカー装置に供給する。同様に、延伸部３１１’の一端は電源ボタンスイッチを接触しない場合、電源をオフすることによってスピーカー装置１への電力供給を停止する。また、弾性エレメント３２’はスプリングであってもよい。
【００８８】
本考案に係る可動切替え構造を備えるオーバーヘッド型マルチチャンネルスピーカー装置及びその組み立て方法によれば、主チャンバーにおけるフロントエンクロージャーキット及びリアエンクロージャーキットをスピーカーユニット容置主体の相対する上下両側に取り付けることにより、スピーカーユニット容置主体には複数の閉塞する独立音室が形成されるため、独立音室に取り付けられるスピーカーユニットは比較的に透き通る音声放出効果を奏することができる。
【００８９】
一方、スピーカーユニット容置主体に対して、チャンネル調整ディスク、音場調整ディスク、第１の調整パーツ及び第２の調整パーツは可動切替え構造であるため、異なる音場、チャンネル及び音質のモードを切り替えることができる。
【００９０】
また、スピーカー装置における紆余曲折の導音ルートは異なる導音位置によって異なるチャンネル(例えば、２.１チャンネル、５.１チャンネル、７.１チャンネル、９.１チャンネル)の音場表現を生じることによって、異なるリスニング空間の音声を生じることができる。
【００９１】
さらに、可動切替え構造は複数の移動可能なスピーカーを模造することができるため、可動切替え構造でヘッドホンの内部の導音管の位置を調整することにより、異なる音場を生じるとともに４次元空間のリスニング環境を模造することができる。これにより、ヘッドホンの音響効果品質を向上して、飽和な音場を持たせるとともにリアルな臨場感のあるサラウンド聴覚効果を達成するなどのメリットがある。
【００９２】
上述したものは本考案の好ましい一例に過ぎず、本考案の実用新案登録請求の範囲を限定するものではない。
【符号の説明】
【００９３】
１ スピーカー装置
２ 主チャンバー
２１、２１’ スピーカーユニット容置主体
２１１ 蓋体
２１１１ 収容凹槽
２１１２ 貫通口
２１１３ 円環状リブ部
２１１３１ 弧形凹槽
２１１３２ 凹槽孔
２１１４ 連通部
２１１５ 磁気素子収容槽
２１３、２１３’ ハウジング
２１４ 仕切りパーツ
２１４１ 開口
２１４２ 収容槽
２１４３ 副導音管
２１４３１ 導音孔
２１４４ 磁気素子収容槽
２１４５ 掛止穴
２１４６ 排音管
２１５、２１５’ 取り付け孔
２２ スピーカーユニットセット
２２１ 主スピーカーユニット
２２２ 副スピーカーユニット
２３ フロントエンクロージャーキット
２３１ 音響効果調整ユニット
２３１１ チャンネル調整ディスク
２３１１１ チャンネル通過口
２３１１２ 第１のチャンネル貫通口
２３１１３ 第２のチャンネル貫通口
２３１１４ 磁気素子収容槽
２３１１５ チャンネル掛止口
２３１１６ チャンネル結合部
２３１２ 音場調整ディスク
２３１２１ 音場通過口
２３１２２、２３１２２a、２３１２２b、２３１２２c 音場置換貫通口
２３１２３ 磁気素子収容槽
２３１２４ 音場掛止口
２３１２５ 音場結合部
２３２ 音源出力單元
２３２１ 位置決めリング
２３２１１ 位置決め通過口
２３２１２ 磁気素子収容槽
２３２２ 音源出力ディスク
２３２２１ 音源出力通過口
２３２２２ 音源出力貫通口
２３２２３ リブ片
２４ リアエンクロージャーキット
２４１音質調整ユニット
２４１１ 第１の調整パーツ
２４１１１ 閉塞部
２４１１２ 出音孔
２４１１３ 導音通路
２４１１４ カバー板
２４１１５ 磁気素子収容槽
２４１２ 第２の調整パーツ
２４１２１ 第１のエアホール
２４１２２ 第２のエアホール
２４１２３ 収容凸部
２４１２４ 磁気素子収容槽
２４１３ 位置決めディスク
２４１３１ 凹槽
２４１３２ 音質導音管
２４１３３ 第１の連通口
２４１３５ スライド溝
２４１３６ 磁気素子収容槽
２４１３７ 導音管孔
２５、２５’ 掛止具
２５１、２５１’ 掛止板片
３、３’ 接続部
３１、３１’ 接続枢転部
３２’  弾性エレメント
３１１、３１１’ 延伸部
３１１１、３１１１’位置決め片
４、４’ 音声源集中パーツ
４１、４１’ イヤーホン凸部
４２、４２’ 切り欠き
５軟性覆体
６０ クランプ溝
CA 中心軸
C センタースピーカー
W 重低音スピーカー
FL フロント左側スピーカー
FR フロント右側スピーカー
BLS リア左側サラウンドスピーカー
BRS リア右側サラウンドスピーカー
FLS フロント左側サラウンドスピーカー
FRS フロント右側サラウンドスピーカー
BL リア左側スピーカー
BR リア右側スピーカー
【図１】
0003180194.tif 000003
【図２】
0003180194.tif 000004
【図３】
0003180194.tif 000005
【図４】
0003180194.tif 000006
【図５】
0003180194.tif 000007
【図６】
0003180194.tif 000008
【図７】
0003180194.tif 000009
【図８】
0003180194.tif 000010
【図９】
0003180194.tif 000011
【図１０】
0003180194.tif 000012
【図１１】
0003180194.tif 000013
【図１２】
0003180194.tif 000014
【図１３】
0003180194.tif 000015
【図１４】
0003180194.tif 000016
【図１５】
0003180194.tif 000017
【図１６】
0003180194.tif 000018
【図１７】
0003180194.tif 000019
【図１８】
0003180194.tif 000020
【図１９】
0003180194.tif 000021
【図２０】
0003180194.tif 000022
【図２１】
0003180194.tif 000023
【図２２】
0003180194.tif 000024
【図２３】
0003180194.tif 000025
【図２４】
0003180194.tif 000026
【図２５】
0003180194.tif 000027